(57)【要約】【課題】  照明器具本体の天井面における回転防止と、着脱容易で安定したカバーの嵌合性を確保し得る照明器具を提供する。【解決手段】  本発明の照明器具１は、天井に配設された配線器具２に取り付けられる照明器具本体３と、この照明器具本体３の前面４を略覆うように配設されて回動されることにより着脱されるカバー５とを備えてなる照明器具において、照明器具本体３の天井側の面６に、照明器具本体回転防止用切起し片７を設け、この照明器具本体回転防止用切起し片７が、照明器具本体前面側から板バネで支持されているので、照明器具本体３が、経時変化なく確実に天井面に固定でき、長期安定的に、照明器具本体３の天井面における回転防止を達成し得ることとなる。【選択図】図１
2005243255.tif 000002
【特許請求の範囲】
【請求項１】
天井に配設された配線器具に取り付けられる照明器具本体と、この照明器具本体の前面を略覆うように配設されて回動されることにより着脱されるカバーとを備えてなる照明器具において、前記照明器具本体の天井側の面に、照明器具本体回転防止用切起し片を設け、この照明器具本体回転防止用切起し片が、前記照明器具本体前面側から板バネで支持されていることを特徴とする照明器具。
【請求項２】
前記照明器具本体の前面にカバー係止用切起し片を設け、このカバー係止用切起し片が、前記照明器具本体前面側から、前記板バネの延設部で支持されていることを特徴とする請求項１記載の照明器具。
【請求項３】
前記照明器具本体が、樹脂材料を用いて形成されていることを特徴とする請求項１または請求項２記載の照明器具。
【発明の詳細な説明】
【技術分野】
【０００１】
本発明は、照明器具本体の天井面における回転防止と、着脱容易で安定したカバーの嵌合性を確保し得る照明器具（シーリングライト）に関するものである。
【背景技術】
【０００２】
例えば、天井１０に配設された配線器具２に取り付けられる従来の照明器具（シーリングライト）１ａ（図６参照）では、図７に示すように、照明器具本体３ａの天井側の面６ａに弾性部材で形成されたパッキン１５を設ける（例えば、特開平１０？１５４４１３号公報等参照）等して、照明器具本体３ａの天井面における回転防止を行なっていた。しかし、このような照明器具１ａにおいては、継続使用に伴うパッキン１５の熱劣化、及びこれに起因する伸縮性の低下、天井材の変色等が問題となっていた。
【０００３】
他方、かかる従来の照明器具１ａにおいては、照明器具本体３ａのカバー５の係合部１４ａを別パーツとして形成し、カバー５の嵌合性の確認については、嵌合時の板バネの音を頼りに間接的に行い得るに留まっていた。さらに、カバー５と照明器具本体３ａ、カバー５とこれの照明器具本体側係合部１４ａとの熱膨張係数の差異に起因する両者の摩擦により異常音が発生する等の問題も解決すべき課題として残されていた。
【特許文献１】特開平１０？１５４４１３号公報
【発明の開示】
【発明が解決しようとする課題】
【０００４】
本発明は、上記背景技術に鑑みて発明されたものであり、その課題は、照明器具本体の天井面における回転防止と、着脱容易で安定したカバーの嵌合性を確保し得る照明器具を提供することにある。
【課題を解決するための手段】
【０００５】
上記課題を解決するために、請求項１に係る発明の照明器具にあっては、天井に配設された配線器具に取り付けられる照明器具本体と、この照明器具本体の前面を略覆うように配設されて回動されることにより着脱されるカバーとを備えてなる照明器具において、前記照明器具本体の天井側の面に、照明器具本体回転防止用切起し片を設け、この照明器具本体回転防止用切起し片が、前記照明器具本体前面側から板バネで支持されていることを特徴とするものである。
【０００６】
請求項２に係る発明の照明器具にあっては、請求項１記載の照明器具において、前記照明器具本体の前面にカバー係止用切起し片を設け、このカバー係止用切起し片が、前記照明器具本体前面側から、前記板バネの延設部で支持されていることを特徴とするものである。
【０００７】
請求項３に係る発明の照明器具にあっては、請求項１または請求項２記載の照明器具において、前記照明器具本体が、樹脂材料を用いて形成されていることを特徴とするものである。
【発明の効果】
【０００８】
本発明の照明器具は、天井に配設された配線器具に取り付けられる照明器具本体と、この照明器具本体の前面を略覆うように配設されて回動されることにより着脱されるカバーとを備えてなる照明器具において、前記照明器具本体の天井側の面に、照明器具本体回転防止用切起し片を設け、この照明器具本体回転防止用切起し片が、前記照明器具本体前面側から板バネで支持されているので、照明器具本体が、経時変化なく確実に天井面に固定でき、長期安定的に、照明器具本体の天井面における回転防止を達成し得ることとなる。
【発明を実施するための最良の形態】
【０００９】
以下、本発明の実施形態を図面に基づき説明する。なお、本発明の照明器具は、下記の実施形態にのみ限定されるものではなく、本発明の要旨を逸脱しない範囲内において種々変更を加え得ることは勿論である。ここで、図１は、本発明の一実施形態である照明器具１の構成の要部を概略的に示す分解斜視図である。図２は、本発明の一実施形態である照明器具１におけるカバー５の装着の様子を概略的に示す図である。図３は、本発明の一実施形態である照明器具１における照明器具本体３の構成の要部を概略的に示すもので、（ａ）は、天井側の面６の概略を示す斜視図、（ｂ）は、前面４の概略を示す斜視図である。図４は、図３（ａ）におけるＡの部分を拡大した図である。図５は、本発明の一実施形態である照明器具１の照明器具本体３における照明器具本体回転防止用切起し片７、カバー係止用切起し片９及び板バネ８の配置の概略を示す断面図である。
【００１０】
即ち、図１、図２に示すように、本実施形態の照明器具１は、天井１０に配設された配線器具２にアダプター１２を介して取り付けられる照明器具本体３と、この照明器具本体３の前面４を略覆うように配設されて回動されることにより着脱されるカバー５とを備えてなる照明器具（シーリングライト）である。
【００１１】
本実施形態の照明器具１の取りつけは、具体的には、図２に示すように、照明器具本体３をアダプター１２に係止した後、照明器具本体３にカバー５を合わせて持ち上げ、カバー５を（例えば、図２の横矢印方向に）回転させて照明器具本体側係合部１４である後述のカバー係止用切起し片９により係止するようにしている。
【００１２】
さらに、図３に示すように、本実施形態の照明器具１では、照明器具本体３の天井側の面６に、照明器具本体回転防止用切起し片７を設け、この照明器具本体回転防止用切起し片７が、照明器具本体３の前面４側から板バネ８で支持されているものである。この照明器具本体３、及び、照明器具本体回転防止用切起し片７は、例えば、照明器具本体３を金属等で構成し、照明器具本体回転防止用切起し片７を照明器具本体３から、文字通り、切起す等の方法で形成し得ることはもちろんであるが、好適には、照明器具本体３、及び、照明器具本体回転防止用切起し片７を樹脂成形材料を用いて一体成形品として安価に製造可能であり、本実施形態では、樹脂成形材料を用いて一体成形品として形成することとした。この場合、照明器具本体回転防止用切起し片７が、照明器具本体３の前面４側から板バネ８で支持、補強され、強固に天井面に圧着、固定されることとなる。さらに、照明器具本体回転防止用切起し片７の上側面を凹凸面１３（図４参照）とすることにより、さらに強固に天井面に圧着、固定し得ることとなる。この結果、上記した従来の照明器具１ａにおける継続使用に伴うパッキン１５の熱劣化、及びこれに起因する伸縮性の低下、天井材の変色等の問題は、確実に回避でき、照明器具本体３が、経時変化なく確実に天井面に固定でき、長期安定的に照明器具本体３の天井面における回転防止を達成し得ることとなる。
【００１３】
一方、本実施形態の照明器具１では、照明器具本体３の前面４にカバー係止用切起し片９を設け、このカバー係止用切起し片９が、照明器具本体３の前面４側から、前記板バネ８の延設部１１で支持されている。このカバー係止用切起し片９においても、上記照明器具本体回転防止用切起し片７の場合と同様に、照明器具本体３とともに、樹脂成形材料を用いて一体成形品として製造可能である。この場合、照明器具本体回転防止用切起し片７が、照明器具本体３の前面４側から板バネ８（の延設部１１）で支持、補強されることとなる。この結果、上記した従来の照明器具１ａと異なり、前記カバー係止用切起し片９に対して、カバー５が、着脱容易で安定したカバー５の嵌合性を確保でき、かかるカバー５の嵌合がカバー５の着脱操作時の操作性によって認識し得ることとなる。
【００１４】
さらに、本実施形態の照明器具１では、上記したように、照明器具本体３が、樹脂材料を用いて形成されているため、樹脂製のカバー５と照明器具本体３（或いは、照明器具本体側係合部１４であるカバー係止用切起し片９）との熱膨張係数の差異が小さくなる結果、カバー５との摩擦による異常音の発生等の不具合の発生を防止し得ることとなる。このように、照明器具本体３と照明器具本体回転防止用切起し片７、及び、カバー係止用切起し片９を樹脂成形材料を用いて一体成形品として形成し、且つ、この照明器具本体回転防止用切起し片７、カバー係止用切起し片９を一枚の板バネ８（及び、その延設部１１）で補強できる（図５参照）ので、製造時の組立加工が容易となり、部品点数の削減にも寄与し得ることとなる。なお、上記照明器具本体回転防止用切起し片７、カバー係止用切起し片９及び板バネ８の個数、形状、配設部位等において、特に制限はなく、上記課題解決に寄与し得る限りにおいて限定はない。
【図面の簡単な説明】
【００１５】
【図１】本発明の一実施形態である照明器具１の構成の要部を概略的に示す分解斜視図である。
【図２】本発明の一実施形態である照明器具１におけるカバー５の装着の様子を概略的に示す図である。
【図３】本発明の一実施形態である照明器具１における照明器具本体３の構成の要部を概略的に示すもので、（ａ）は、天井側の面６の概略を示す斜視図、（ｂ）は、前面４の概略を示す斜視図である。
【図４】図３（ａ）におけるＡの部分を拡大した図である。
【図５】本発明の一実施形態である照明器具１の照明器具本体３における照明器具本体回転防止用切起し片７、カバー係止用切起し片９及び板バネ８の配置の概略を示す断面図である。
【図６】従来例に係る照明器具１ａにおけるカバー５の装着の様子を概略的に示す図である。
【図７】従来例に係る照明器具１ａにおける照明器具本体３ａの構成の要部を概略的に示す斜視図である。
【符号の説明】
【００１６】
１    照明器具
１ａ  照明器具（従来例）
２    配線器具
３    照明器具本体（照明器具１）
３ａ  照明器具本体（照明器具１ａ）
４    前面（照明器具本体３）
５    カバー
６    面（照明器具本体３、天井側面）
６ａ  面（照明器具本体３ａ、天井側面）
７    照明器具本体回転防止用切起し片（照明器具本体３）
８    板バネ
９    カバー係止用切起し片（照明器具本体３）
１０    天井
１１    延設部（板バネ８）
１２    アダプター
１３    凹凸面（照明器具本体回転防止用切起し片７）
１４    係合部（照明器具本体３）
１４ａ  係合部（照明器具本体３ａ）
１５    パッキン（照明器具本体３ａ）
１６    穴部
１７    穴部
【図１】
2005243255.tif 000003
【図２】
2005243255.tif 000004
【図３】
2005243255.tif 000005
【図４】
2005243255.tif 000006
【図５】
2005243255.tif 000007
【図６】
2005243255.tif 000008
【図７】
2005243255.tif 000009